(57)【要約】【課題】長さ調節を精密に行え、軽量かつ低コストである帽体用発光具及びヘルメットを提供すること。【解決手段】光源部材３０と、可撓性及び導光性を有し帽体１１０の外面に環状に配置され光源部材３０の発光により輝く帯部材１０と、帯部材１０の両端が接続される接続部材２０とを備え、接続部材２０は、帯部材１０の一方の端部１０ａが接続される第一接続部２２と、帯部材１０の他方の端部１０ｂが接続される第二接続部２３とを有し、接続部材２０に収容された光源部材３０は、第一接続部２２側に配置された第一光源部３１と、第二接続部２３側に配置された第二光源部３２とを有し、帯部材１０は、一方の端部１０ａ又は他方の端部１０ｂの少なくとも一方が第一接続部２２又は第二接続部２３に脱着自在に接続され、環状にしたときに、一方の端部１０ａの端面が第一光源部３１に当接し、他方の端部１０ｂの端面が第二光源部３２に当接する。【選択図】図１
2019014992.tif 000002
【特許請求の範囲】
【請求項１】
帽体の外面に装着され、発光により周囲に装着者の存在を知らせる帽体用発光具であって、
光を発する光源部材と、
可撓性及び導光性を有し、前記帽体の外面に環状に配置され、前記光源部材の発光により輝く帯部材と、
前記帯部材を環状としたときに前記帯部材の両端が接続される接続部材とを備え、
前記接続部材は、前記帯部材の一方の端部が接続される第一接続部と、前記帯部材の他方の端部が接続される第二接続部とを有し、
前記光源部材は、前記接続部材に収容されており、前記第一接続部側に配置された第一光源部と、前記第二接続部側に配置された第二光源部とを有し、
前記帯部材は、前記一方の端部又は前記他方の端部の少なくとも一方が前記接続部材の前記第一接続部又は前記第二接続部に脱着自在に接続され、環状にしたときに、前記一方の端部の端面が前記第一光源部に当接し、前記他方の端部の端面が前記第二光源部に当接することを特徴とする帽体用発光具。
【請求項２】
前記光源部材が有色の光を発し、前記帯部材が透明であることを特徴とする請求項１に記載の帽体用発光具。
【請求項３】
前記帯部材をソフトアクリル製とし、前記帯部材の幅を１０ｍｍ以上としたことを特徴とする請求項１又は請求項２に記載の帽体用発光具。
【請求項４】
前記接続部材は、前記帽体と接する接触面が湾曲していることを特徴とする請求項１から請求項３のいずれか１項に記載の帽体用発光具。
【請求項５】
前記接続部材は、前記光源部材が収容された本体部と、前記本体部の一端に配置された前記第一接続部と、前記本体部の他端に配置された前記第二接続部とで構成され、
前記第一接続部と前記第二接続部の少なくとも一方は、挿入用開口が形成され前記本体部に固定された突設部と、挿通用開口が形成され前記突設部と脱着自在に係合する蓋部とを有し、
前記一方の端部又は前記他方の端部を前記挿通用開口に挿通して前記挿入用開口に挿入した後、前記蓋部を前記突設部に係合することで、前記帯部材が脱着自在に前記接続部材に接続されることを特徴とする請求項１から請求項４のいずれか１項に記載の帽体用発光具。
【請求項６】
前記一方の端部又は前記他方の端部が、前記第一接続部又は前記第二接続部に固定的に接続されていることを特徴とする請求項１から請求項５のいずれか１項に記載の帽体用発光具。
【請求項７】
請求項１から請求項６のいずれか１項に記載の帽体用発光具を備えたことを特徴とするヘルメット。
【請求項８】
前記帽体の下縁に鍔又は折曲部を備え、
前記帽体用発光具が、前記帽体の前記下縁に沿って配置されていることを特徴とする請求項７に記載のヘルメット。
【発明の詳細な説明】
【技術分野】
【０００１】
本発明は、帽体に取り付けられて発光により周囲に存在を知らせる帽体用発光具、及び帽体用発光具を備えたヘルメットに関する。
【背景技術】
【０００２】
夜間や暗所における人の存在を目立たせる等の目的で、帽体に装着して使用する発光部材が知られている。
例えば特許文献１には、テープＬＥＤ、ミニ点滅調光コントローラー、電池ケース及び電池を備えた照明キットが記載されている。
また、特許文献２には、バンド本体、バンド本体の表面に所定間隔で配置された発光素子、各発光素子を接続する導電部、及び蛍光部材又は反射部材を有し、発光素子が消灯した場合であっても、外部の光を受けた場合には蛍光部材又は反射部材により光らせることができる照明バンドが記載されている
また、特許文献３には、複数のＬＥＤ素子、フレキシブル部材、取着部材、外部電源装置及びケーブルを備えたフレキシブル照明装置が記載されている。
また、特許文献４には、表面側に配置された複数のＬＥＤ素子、背面側に配置されたフレキシブル基板、表面側に配置された透明な保護シート、及び背面側に配置された裏側シートを重ねてなる発光標識体が記載されている。
また、特許文献５には、多数の点滅小ライトをヘルメットの外周に設けたヘルメットが記載されている。
また、特許文献６には、駆動ユニット、及び長尺の照明体を備えたヘルメット用照明構造が記載されている。
【先行技術文献】
【特許文献】
【０００３】
【特許文献１】特開２０１６−１９６７１０号公報
【特許文献２】国際公開第２０１０／０１３７１６号
【特許文献３】実用新案登録第３１５６７８４号公報
【特許文献４】特開２００８−２２３１６７号公報
【特許文献５】登録実用新案第３０００４００号公報
【特許文献６】特開２０１５−１６６５０８号公報
【発明の概要】
【発明が解決しようとする課題】
【０００４】
特許文献１記載の照明キットは、テープＬＥＤに所定間隔で複数のＬＥＤ素子が配置されているため、テープＬＥＤを切断可能な位置が限定され、所望の長さに調節し難い場合がある。また、複数のＬＥＤ素子を用いるため消費電力が大きく、電源を大容量化せざるを得ないことから、重量やコストが増加してしまう。
特許文献２記載の照明バンドは、バンド本体を構成する複数のバンド小片の連結数を変化させてバンド本体の長さを調節するものであるため、構成が複雑かつバンド小片の大きさによっては所望の長さに調節し難い場合がある。また、複数の発光素子を用いるため消費電力が大きく、電源を大容量化せざるを得ないことから、重量やコストが増加してしまう。
特許文献３のフレキシブル照明装置は、ケーブルを必要とするため作業の障害となる可能性がある。また、複数のＬＥＤ素子を用いるため消費電力が大きく、電源を大容量化せざるを得ないことから、重量やコストが増加してしまう。
特許文献４の発光標識体は、面ファスナーを用いてヘルメットに取り付けるものであるため、反射ベルトの面ファスナーを重ね合わせる部分や余り部分においてヘルメット外方への突出量が増えてしまい安全上好ましくない。また、複数のＬＥＤ素子を用いるため消費電力が大きく、電源を大容量化せざるを得ないことから、重量やコストが増加してしまう。
特許文献５のヘルメットは、複数の小ライトが配設された帯状帯に、ゴムバンドや面状ファスナー等を接続してヘルメットに取り付けるものであるため、構成が複雑になってしまう。また、面ファスナーを用いる場合には、面ファスナーを重ね合わせる部分や余り部分においてヘルメット外方への突出量が増えてしまい安全上好ましくない。また、複数の小ライトを用いるため消費電力が大きく、電源を大容量化せざるを得ないことから、重量やコストが増加してしまう。
特許文献６のヘルメット用照明構造は、長尺の照明体が途切れており完全な円環状とはなっていないため、照明体をヘルメットに取り付けるための粘着テープや面ファスナーを準備するか、又はヘルメット側に取付け用の部材を設ける必要がある。また、面ファスナーを用いて取付ける場合には、面ファスナーを重ね合わせる部分や余り部分においてヘルメット外方への突出量が増えてしまい安全上好ましくない。
【０００５】
そこで本発明は、長さ調節を精密に行うことができ、また軽量かつ低コストである帽体用発光具、及び帽体用発光具を備えたヘルメットを提供することを目的とする。
【課題を解決するための手段】
【０００６】
請求項１記載の本発明の帽体用発光具は、帽体の外面に装着され、発光により周囲に装着者の存在を知らせる帽体用発光具であって、光を発する光源部材と、可撓性及び導光性を有し、前記帽体の外面に環状に配置され、前記光源部材の発光により輝く帯部材と、前記帯部材を環状としたときに前記帯部材の両端が接続される接続部材とを備え、前記接続部材は、前記帯部材の一方の端部が接続される第一接続部と、前記帯部材の他方の端部が接続される第二接続部とを有し、前記光源部材は、前記接続部材に収容されており、前記第一接続部側に配置された第一光源部と、前記第二接続部側に配置された第二光源部とを有し、前記帯部材は、前記一方の端部又は前記他方の端部の少なくとも一方が前記接続部材の前記第一接続部又は前記第二接続部に脱着自在に接続され、環状にしたときに、前記一方の端部の端面が前記第一光源部に当接し、前記他方の端部の端面が前記第二光源部に当接することを特徴とする。
請求項２記載の本発明は、請求項１に記載の帽体用発光具において、前記光源部材が有色の光を発し、前記帯部材が透明であることを特徴とする。
請求項３記載の本発明は、請求項１又は請求項２に記載の帽体用発光具において、前記帯部材をソフトアクリル製とし、前記帯部材の幅を１０ｍｍ以上としたことを特徴とする。
請求項４記載の本発明は、請求項１から請求項３のいずれか１項に記載の帽体用発光具において、前記接続部材は、前記帽体と接する接触面が湾曲していることを特徴とする。
請求項５記載の本発明は、請求項１から請求項４のいずれか１項に記載の帽体用発光具において、前記接続部材は、前記光源部材が収容された本体部と、前記本体部の一端に配置された前記第一接続部と、前記本体部の他端に配置された前記第二接続部とで構成され、前記第一接続部と前記第二接続部の少なくとも一方は、挿入用開口が形成され前記本体部に固定された突設部と、挿通用開口が形成され前記突設部と脱着自在に係合する蓋部とを有し、前記一方の端部又は前記他方の端部を前記挿通用開口に挿通して前記挿入用開口に挿入した後、前記蓋部を前記突設部に係合することで、前記帯部材が脱着自在に前記接続部材に接続されることを特徴とする。
請求項６記載の本発明は、請求項１から請求項５のいずれか１項に記載の帽体用発光具において、前記一方の端部又は前記他方の端部が、前記第一接続部又は前記第二接続部に固定的に接続されていることを特徴とする。
請求項７記載の本発明のヘルメットは、請求項１から請求項６のいずれか１項に記載の帽体用発光具を備えたことを特徴とする。
請求項８記載の本発明は、請求項７に記載のヘルメットにおいて、前記帽体の下縁に鍔又は折曲部を備え、前記帽体用発光具が、前記帽体の前記下縁に沿って配置されていることを特徴とする。
【発明の効果】
【０００７】
本発明によれば、長さ調節を精密に行うことができ、また軽量かつ低コストである帽体用発光具、及び帽体用発光具を備えたヘルメットを提供することができる。
【図面の簡単な説明】
【０００８】
【図１】本発明の一実施例による帽体用発光具を帽体に装着した状態を示す図
【図２】同帽体用発光具の内部構造を示す図
【図３】同帽体用発光具の帯部材と接続部材との接続を示す図
【図４】本発明の他の実施例による帽体用発光具の帯部材と接続部材との接続を示す図
【図５】本発明の更に他の実施例による帽体用発光具の帯部材と接続部材との接続を示す図
【発明を実施するための形態】
【０００９】
本発明の第１の実施の形態による帽体用発光具は、光を発する光源部材と、可撓性及び導光性を有し、帽体の外面に環状に配置され、光源部材の発光により輝く帯部材と、帯部材を環状としたときに帯部材の両端が接続される接続部材とを備え、接続部材は、帯部材の一方の端部が接続される第一接続部と、帯部材の他方の端部が接続される第二接続部とを有し、光源部材は、接続部材に収容されており、第一接続部側に配置された第一光源部と、第二接続部側に配置された第二光源部とを有し、帯部材は、一方の端部又は他方の端部の少なくとも一方が接続部材の第一接続部又は第二接続部に脱着自在に接続され、環状にしたときに、一方の端部の端面が第一光源部に当接し、他方の端部の端面が第二光源部に当接するものである。
本実施の形態によれば、帯部材の両端の端面に光源を当接させることにより、帯部材に光源を設けることなく帯部材の全体を輝かせることができる。また、帯部材には光源が配置されておらず光源の配置によって帯部材を切断する位置が制限されることがないため、より精密に長さ調節を行うことができる。したがって、長さ調節を精密に行うことができ、軽量かつ低コストである帽体用発光具を提供できる。
【００１０】
本発明の第２の実施の形態は、第１の実施の形態による帽体用発光具において、光源部材を有色の光を発するものとし、帯部材を透明としたものである。
本実施の形態によれば、帽体に表示された社名や社章等の情報の上に帯部材が重なる場合でも、帯部材が輝いていないときはその情報を視認することができる。
【００１１】
本発明の第３の実施の形態は、第１又は第２の実施の形態による帽体用発光具において、帯部材をソフトアクリル製とし、帯部材の幅を１０ｍｍ以上としたものである。
本実施の形態によれば、帯部材と帽体との間に高い摩擦力が生じるため、帽体用発光具のずれや脱落をより一層防止できる。
【００１２】
本発明の第４の実施の形態は、第１から第３のいずれか１つの実施の形態による帽体用発光具において、接続部材は、帽体と接する接触面が湾曲しているものである。
本実施の形態によれば、接続部材と帽体との密着性を高め、帽体用発光具のずれや脱落をより一層防止できる。
【００１３】
本発明の第５の実施の形態は、第１から第４のいずれか１つの実施の形態による帽体用発光具において、接続部材は、光源部材が収容された本体部と、本体部の一端に配置された第一接続部と、本体部の他端に配置された第二接続部とで構成され、第一接続部と第二接続部の少なくとも一方は、挿入用開口が形成され本体部に固定された突設部と、挿通用開口が形成され突設部と脱着自在に係合する蓋部とを有し、一方の端部又は他方の端部を挿通用開口に挿通して挿入用開口に挿入した後、蓋部を突設部に係合することで、帯部材が脱着自在に接続部材に接続されるものである。
本実施の形態によれば、簡素な構成で帯部材を接続部材に脱着自在に接続することができる。
【００１４】
本発明の第６の実施の形態は、第１から第５のいずれか１つの実施の形態による帽体用発光具において、一方の端部又は他方の端部が、第一接続部又は第二接続部に固定的に接続されているものである。
本実施の形態によれば、接続部材の構成を簡素化できる。また、接続部材が常に帯部材に接続されているので、比較的小型である接続部材の紛失を防止できる。
【００１５】
本発明の第７の実施の形態によるヘルメットは、第１から第６のいずれか１つの実施の形態による帽体用発光具を備えたものである。
本実施の形態によれば、長さ調節を精密に行うことができ、軽量かつ低コストである帽体用発光具を備えたヘルメットを提供できる。
【００１６】
本発明の第８の実施の形態は、第７の実施の形態によるヘルメットにおいて、帽体の下縁に鍔又は折曲部を備え、帽体用発光具が、帽体の下縁に沿って配置されているものである。
本実施の形態によれば、帽体用発光具のずれや脱落をより一層防止できる。
【実施例】
【００１７】
以下本発明の実施例について図面とともに詳細に説明する。
【００１８】
図１は本発明の一実施例による帽体用発光具を帽体に装着したヘルメットを示す図であり、図１（ａ）は右後方斜視図、図１（ｂ）は左側面図である。
帽体用発光具１が装着されたヘルメット１００は、工事現場や工場等で用いられる安全用ヘルメットであり、帽体１１０の前面下縁に鍔１２０を有し、側面及び後面の下縁には外方へ折り曲げられた折曲部１３０が形成されている。
帽体用発光具１は、細長い帯部材１０の両端を接続部材２０に接続し環状とした状態で、帽体１１０の外面に装着されている。帽体用発光具１は、帽体１１０の下縁に沿って配置することが好ましい。帽体１１０の下縁に沿って配置することで、帽体用発光具１が鍔１２０及び折曲部１３０によって下から支持されるため、ずれや脱落を防止できる。なお、両面テープ等を用いて帯部材１０及び接続部材２０の少なくとも一方を帽体１１０に接着させてもよい。
接続部材２０の内部には光源部材３０が配置されている。また、接続部材２０には外部から操作可能な電源操作部４０が設けられており、電源操作部４０を操作することによって、光源部材３０を点灯させることができる。光源部材３０が点灯すると、光源部材３０から照射された光を受けた帯部材１０が全体にわたって輝く。これにより、装着者の存在を周囲に知らせ、事故等を未然に防ぐことができる。
【００１９】
帯部材１０は、図１に示すように、帽体１１０のほぼ全周にわたって配置される。
帯部材１０はソフトアクリル製等の可撓性及び導光性を有する軟質体であり、直線状や環状に変形可能である。
また、帯部材１０を切断することで、帽体１１０のサイズに合わせて帽体用発光具１を適切な長さに調節することができるため、帽体用発光具１は、様々なサイズの帽体１１０に適用できる。帯部材１０には、ＬＥＤ素子や、接続部材２０に接続するための部材を設けていない。よって、ＬＥＤ素子等の位置に制限されることなく帯部材１０を切断することができるため、帽体用発光具１の長さ調節を精密に行うことができる。また、帯部材１０を切断するだけで長さ調節を行えるため、長さ調節のための別部材を設ける必要がない。
【００２０】
帯部材１０は、透明であることが好ましい。帽体１１０には社名や氏名、血液型等といった情報が表示されていることがあるが、帯部材１０を透明としておけば、帽体１１０に表示された情報の上に帯部材１０が重なったとしても、光源部材３０が消灯し帯部材１０が輝いていないときは、帽体１１０に表示された情報を視認することができる。
【００２１】
図２は同帽体用発光具の内部構造を示す図であり、図２（ａ）は上面図、図２（ｂ）は正面図である。なお、図２（ｂ）では帽体の記載を省略している。
接続部材２０は、プラスチック等の硬質体である。接続部材２０は、帽体１１０に配置したときの上下方向の幅βよりも周方向の長さγのほうが長い略矩形状であり、光源部材３０が収容された本体部２１が中央に配置され、本体部２１の周方向の一端に第一接続部２２が配置され、本体２１の周方向の他端に第二接続部２３が配置されている。
接続部材２０の上下方向の幅βは、帯部材１０の幅αよりも大きい。本実施例では、接続部材２０の幅βを帯部材１０の幅αの約１．４倍としている。帯部材１０の幅αは、１０ｍｍ以上とすることが好ましく、１５ｍｍ以上とすることがより好ましい。帯部材１０に所定以上の幅αをもたせることで、帯部材１０と帽体１１０との摩擦力を増やし、帽体用発光具１のずれや脱落をより一層防止することができる。なお、幅αが大き過ぎると帽体１１０に装着しづらくなるため、幅αは、３０ｍｍ以下とすることが好ましく、２０ｍｍ以下とすることがより好ましい。
【００２２】
接続部材２０の本体部２１は、帽体１１０と接する接触面２１ａが、帽体１１０の曲面に沿って湾曲している。これにより、接続部材２０と帽体１１０との密着性を高め、帽体用発光具１のずれや脱落をより一層防止することができる。
また、接触面２１ａの反対側に位置する反接触面２１ｂに、電源操作部４０が設けられている。電源操作部４０には、押下用スリット４１が形成されている（図１参照）。押下用スリット４１が形成された部分は、周囲よりも強度が低いため指で内部方向へ押下げることが可能である。なお、押下げた後に指を離すと自らの復元力により押下げ前の状態に復帰する。
【００２３】
接続部材２０の第一接続部２２には帯部材１０の一方の端部１０ａが接続され、第二接続部２３には帯部材１０の他方の端部１０ｂが接続される。
一方の端部１０ａは、後述のように、第一接続部２２に脱着自在に接続される。他方の端部１０ｂは、第二接続部２３にネジ等で固定的に接続されており容易には取り外すことができない。後述のように両端とも脱着自在に接続する構成とすることもできるが、帯部材１０のどちらか一端（本実施例では他方の端部１０ｂ）を固定的に接続することで、接続部２０の構成を単純化できる。また、接続部材２０が常に帯部材１０に接続されているため、比較的小さな部材である接続部材２０の紛失を防止することができる。
【００２４】
本体部２１の内部に収められた光源部材３０は、第一光源部３１、第二光源部３２、電源部３３、及び電源スイッチ３４を有する。
第一光源部３１は第一接続部２２側に配置され、第二光源部３２は第二接続部２３側に配置されている。第一光源部３１及び第二光源部３２には、砲弾型で明滅点灯式の高輝度赤色ＬＥＤを用い、それぞれの先端を帯体１０との接続側に向けて配置している。なお、第一光源部３１及び第二光源部３２は、赤色以外の光を発するようにしてもよいが、帯部材１０を透明とした場合には、有色の光を発するものとすることが好ましい。有色の光を透明な帯部材１０に照射することで、帯部材１０を有色に輝かせ、装着者を目立たせることができる。また、接続部材２０は光を透過しやすい素材又は色とすることが好ましい。これにより、接続部材２０も輝かせることができ、より一層装着者を目立たせることができる。
【００２５】
第一接続部２２に接続された帯部材１０の一方の端部１０ａの端面は、第一光源部３１の先端と当接する。第二接続部２３に接続された帯部材１０の他方の端部１０ｂの端面は、第二光源部３２の先端と当接する。このように帯部材１０の両端の端面を第一光源部３１及び第二光源部３２に当接して配置することで、第一光源部３１及び第二光源部３２から照射された光が帯部材１０を通りやすくなり、帯部材１０にＬＥＤ素子等を配置せずとも帯部材１０全体を明るく輝かせることができる。なお、帯部材の１０の端面と第一光源部３１及び第二光源部３２の先端とを数ミリ程度離してもよい。
【００２６】
第一光源部３１と第二光源部３２の間には、電源部３３及び電源スイッチ３４が配置されている。電源部３３は接触面２１ａ側に配置され、電源スイッチ３４は反接触面２１ｂ側に配置されている。
電源部３３には１個のボタン型リチウム電池を用い、ボタン型リチウム電池の円形の面を接触面２１ａと平行に配置することで、接続部材２０の高さを抑えている。
電源スイッチ３４の先端は、反接触面２１ｂの電源操作部４０に近接して配置されている。装着者は、電源操作部４０を押下げて電源スイッチ３４の先端を押すことにより、光源部材３０の入／切動作を行うことができる。第一光源部３１及び第二光源部３２は、電源スイッチ３４の先端が押されるたびに、明滅−点灯−消灯の各ステップに移行する。明滅ステップにおいては点灯と消灯が周期的に繰返されるが、電力消費を抑えるために、消灯している時間のほうが点灯している時間よりも長くなるように設定することが好ましい。なお、ＣＲ２０３２型のボタン型リチウム電池１個を用いて明滅させた結果、１５０時間以上の稼働を確認できた。
【００２７】
図３は同帽体用発光具の帯部材と接続部材との接続を示す図である。
第一接続部２２は、本体部２１に固定された突設部２２Ａと、突設部２２Ａに脱着自在に係合する蓋部２２Ｂとを有する。
突設部２２Ａには、帽体１１０側に配置される下片２２Ａａと、下片２２Ａａの反対側に配置される上片２２Ａｂと、下片２２Ａａと上片２２Ａｂの側方に設けられた一対の側片２２Ａｃにより、帯部材１０の一方の端部１０ａが挿入される挿入用開口２２Ａｄが形成されている。
上片２２Ａｂと一対の側片２２Ａｃとの間には根元部分を除いて変形用スリット２２Ａｅを形成し、一対の側片２２Ａｃは根元側から先端側にかけて徐々に細くしている。これにより、上片２１Ａｂ及び一対の側片２１Ａｃの先端側は、外部から押圧したときに内側へ変形するようになっている。
蓋部２２Ｂは、突設部２２Ａに覆い被せることができるように、内径を突設部２２Ａの外径よりもやや大きくしている。蓋部２２Ｂの内径は、突設部２２Ａの根元と係合する部分を最大とし、突設部２２Ａの先端と係合する部分を最小としている。
また、蓋部２２Ｂには、帯部材１０を挿通する挿通用開口２２Ｂａが形成されており、蓋部２２Ｂは挿通された帯部材１０の任意の位置に移動させることができる。
【００２８】
帽体用発光具１を環状にするときは、帽体１１０の周長に合わせて切断した帯部材１０を、蓋部２２Ｂの挿通用開口２２Ｂａに挿通した後、突設部２２Ａの挿入用開口Ａｄに挿入し（図３の状態）、蓋部２２Ｂを突設部２２Ａに係合させる。
蓋部２２Ｂを突設部２２Ａに係合させると、突設部２２Ａの上片２１Ａｂ及び一対の側片２１Ａｃが蓋部２２Ｂの内壁により押圧されるため、上片２１Ａｂ及び一対の側片２１Ａｃが内側に変形して突設部２２Ａの挿入用開口Ａｄが狭まり、一方の端部１０ａの抜けが防止される。
一方の端部１０ａを取り外すときは、蓋部２２Ｂを突設部２２Ａ側と逆方向にスライドさせて分離し、突設部２２Ａから帯部材１０を取り外す。
【００２９】
なお、上記実施例では、帽体用発光具１をヘルメット１００に装着する例を示したが、帽子などに帽体用発光具１を装着することもできる。
また、上記実施例では、帽体１１０の後面に接続部材２０を配置する例を示したが、帽体１１０の前面又は側面に接続部材２０を配置することもできる。
また、上記実施例では、電源操作部４０は、押下用スリット４１を設けることにより押下げ可能に構成する例を示したが、バネ式の操作機構としたり、回転式の操作機構等としたりすることもできる。
【００３０】
次に、本発明の他の実施例による帽体用発光具について説明する。なお、上記した実施例と同一機能部材には同一符号を付して説明を省略する。
図４は、本実施例による帽体用発光具の帯部材と接続部材との接続を示す図である。
本実施例による帽体用発光具１は、接続部材２０の第一接続部２２の突設部２２Ａに、上片２２Ａｂを設けていない点において上記実施例と異なる。
本実施例のように上片２２Ａｂを設けない場合は、一方の端部１０ａを下片２２Ａａに載置した状態が見えるため、一方の端部１０ａの端面を第一光源部３１の先端に確実に当接させることができる。
【００３１】
次に、本発明の更に他の実施例による帽体用発光具について説明する。なお、上記した実施例と同一機能部材には同一符号を付して説明を省略する。
図５は、本実施例による帽体用発光具の帯部材と接続部材との接続を示す図である。
本実施例による帽体用発光具１は、第二接続部２３を第一接続部２２と同じ構成とすることにより、帯部材１０の両端が接続部材２０に脱着自在に接続する構成としている。図５（ａ）は、帯部材１０と接続部材２０を接続する前の状態を示す図、図５（ｂ）は、帯部材１０の他方の端部１０ｂを接続部材２０に接続した状態を示す図、図５（ｃ）は帯部材１０の一方の端部１０ａと他方の端部１０ｂを接続部材２０に接続した状態を示している。帯部材１０の両端とも接続部材２０に脱着自在とすることで、装着者の利便性を高めることができる。
また、図５（ｄ）は接続部材２０の分解斜視図である。図５（ｄ）に示すように、下片２２Ａａには複数の円錐状突起２４Ａを設け、上片２２Ａｂには複数の線条突起２４Ｂを設けている。第二接続部２３側も同様である。このように、接続部材２０のうち帯部材１０と接触する位置に突起を設けることで、帯部材１０が不意に外れることをより一層防止できる。
【産業上の利用可能性】
【００３２】
本発明の帽体用発光具又はヘルメットを用いることで、夜間や暗所で作業する作業員等の存在を周囲に確実に知らせることができ、事故や災害を低減できる。また、本発明の帽体用発光具は軽量かつ低コストであるため、比較的手軽に導入して作業員の安全性を向上させることができる。
【符号の説明】
【００３３】
１  帽体用発光具
１０  帯部材
１０ａ  一方の端部
１０ｂ  他方の端部
２０  接続部材
２１  本体部
２１ａ  接触面
２１ｂ  反接触面
２２  第一接続部 
２２Ａ  突設部
２２Ａａ  下片
２２Ａｂ  上片
２２Ａｃ  側片
２２Ａｄ  挿入用開口
２２Ａｅ  変形用スリット
２２Ｂ  蓋部
２２Ｂａ  挿通用開口
２３  第二接続部
２４Ａ  円錐状突起
２４Ｂ  線条突起
３０  光源部材
３１  第一光源部
３２  第二光源部
３３  電源部
３４  電源スイッチ
４０  電源操作部
４１  押下用スリット
１００  ヘルメット
１１０  帽体
１２０  鍔
１３０  折曲部
α  帯部材の幅
β  接続部材の幅
γ  接続部材の長さ
【図１】
2019014992.tif 000003
【図２】
2019014992.tif 000004
【図３】
2019014992.tif 000005
【図４】
2019014992.tif 000006
【図５】
2019014992.tif 000007